(57)【要約】  放熱器（２）は、固定面（２ａ）と、固定面（２ａ）と反対の面である放熱面（２ｂ）とを有する。フィン（３）が放熱面（２ｂ）の中央部に設けられている。絶縁材（４）が放熱器（２）の固定面（２ａ）上に設けられている。導電材（５）が絶縁材（４）上に設けられている。半導体チップ（６）が導電材（５）上に設けられている。金属フレーム（９）が半導体チップ（６）に接続されている。モールド樹脂（１０）は、フィン（３）を外部に露出させるように、放熱器（２）、絶縁材（４）、導電材（５）、半導体チップ（６）、及び金属フレーム（９）を覆う。放熱器（２）の外周部とモールド樹脂（１０）の外周部を貫通する穴（１１）が設けられている。半導体モジュール１は、穴（１１）にネジ（１４）を通して冷却ジャケット（１５）に取り付けられる。
2014181426.tif 000002
【特許請求の範囲】
【請求項１】
固定面と、前記固定面と反対の面である放熱面とを有する放熱器と、
前記放熱面の中央部に設けられたフィンと、
前記放熱器の前記固定面上に設けられた絶縁材と、
前記絶縁材上に設けられた導電材と、
前記導電材上に設けられた半導体チップと、
前記半導体チップに接続された金属フレームと、
前記フィンを外部に露出させるように、前記放熱器、前記絶縁材、前記導電材、前記半導体チップ、及び前記金属フレームを覆うモールド樹脂とを備え、
前記放熱器の外周部と前記モールド樹脂の外周部を貫通する穴が設けられ、
前記穴にネジを通して冷却ジャケットに取り付けられることを特徴とする半導体モジュール。
【請求項２】
前記穴付近における前記モールド樹脂の上面の高さをモジュール中央部における前記モールド樹脂の上面の高さより高くすることを特徴とする請求項１に記載の半導体モジュール。
【請求項３】
前記放熱器は外側に突出した突出部を有し、
前記穴は前記突出部に設けられていることを特徴とする請求項１又は２に記載の半導体モジュール。
【請求項４】
前記モールド樹脂の平面形状は四角であることを特徴とする請求項３に記載の半導体モジュール。
【請求項５】
前記モールド樹脂の前記穴に挿入され、前記放熱器より耐力の高い材質からなるカラーを更に備えることを特徴とする請求項１に記載の半導体モジュール。
【請求項６】
前記カラーの外側面に凹凸が設けられていることを特徴とする請求項５に記載の半導体モジュール。
【請求項７】
前記放熱器の前記穴の周辺に設けられ、前記放熱器より耐力の高い材質からなる板材を更に備えることを特徴とする請求項１に記載の半導体モジュール。
【請求項８】
前記放熱器と前記板材が界面で合金化されていることを特徴とする請求項７に記載の半導体モジュール。
【請求項９】
前記放熱面に段差が設けられていることを特徴とする請求項１に記載の半導体モジュール。
【請求項１０】
前記放熱器は、前記固定面の外周部に設けられたガイドを有し、
前記ガイドが前記絶縁材の端部を固定することを特徴とする請求項１に記載の半導体モジュール。
【請求項１１】
前記導電材の平面形状は櫛の歯状であることを特徴とする請求項１〜１０の何れか１項に記載の半導体モジュール。
【請求項１２】
前記絶縁材は絶縁基板であることを特徴とする請求項１〜１１の何れか１項に記載の半導体モジュール。
【請求項１３】
前記絶縁基板はセラミック材料からなることを特徴とする請求項１２に記載の半導体モジュール。
【請求項１４】
前記絶縁材はシート状の樹脂であることを特徴とする請求項１〜１１の何れか１項に記載の半導体モジュール。
【請求項１５】
前記導電材の表面のうち前記半導体チップを実装する領域にめっき処理が施され、
前記導電材と前記半導体チップが導電性接合材により接合されていることを特徴とする請求項１〜１４の何れか１項に記載の半導体モジュール。
【請求項１６】
前記放熱器と前記導電材の材料が同じであることを特徴とする請求項１〜１５の何れか１項に記載の半導体モジュール。
【請求項１７】
前記放熱器と前記導電材の材料がＡｌ又はＡｌ合金であることを特徴とする請求項１６に記載の半導体モジュール。
【請求項１８】
前記導電材の厚みは前記放熱器の厚みの１．１５倍以上、１．４５倍以下であることを特徴とする請求項１〜１７の何れか１項に記載の半導体モジュール。
【請求項１９】
前記半導体チップは、インバータを構成する複数のスイッチング素子を有することを特徴とする請求項１〜１８の何れか１項に記載の半導体モジュール。
【請求項２０】
半導体モジュールと、
前記半導体モジュールを押さえつけて冷却ジャケットに固定する板材とを備え、
前記半導体モジュールは、
固定面と、前記固定面と反対の面である放熱面とを有する放熱器と、
前記放熱面の中央部に設けられたフィンと、
前記放熱器の前記固定面上に設けられた絶縁材と、
前記絶縁材上に設けられた導電材と
前記導電材上に設けられた半導体チップと、
前記半導体チップに接続された金属フレームと、
前記フィンを外部に露出させるように、前記放熱器、前記絶縁材、前記導電材、前記半導体チップ、及び前記金属フレームを覆うモールド樹脂とを有することを特徴とする半導体装置。
【発明の詳細な説明】
【技術分野】
【０００１】
本発明は、例えば車載用のモーター制御に使用される半導体モジュール及び半導体装置に関する。
【背景技術】
【０００２】
従来は、接着性と放熱性を上げるために半導体モジュールをグリスを介して放熱器に取り付けていた。このとき、反り抑制やグリスとの密着性確保のため、押さえ板やネジを用いて半導体モジュールを放熱器へ取り付ける。例えば、半導体モジュールの中央部に貫通穴を設け、貫通孔にネジを通して皿状のバネ板で半導体モジュールを押えて固定する技術が開示されている（特許文献１参照）。【０００３】
また、放熱器はネジを用いて冷却ジャケットに取り付けられることが多い。例えば、放熱器に絶縁基板が半田付けされ、その絶縁基板に半導体チップが固定され、放熱器の周辺部にケースが接着された半導体モジュールが開示されている（特許文献２参照）。
【先行技術文献】
【特許文献】
【０００４】
【特許文献１】日本特開２００８−１９８６４４号公報
【特許文献２】日本特開２００９−１８８１７６号公報
【発明の概要】
【発明が解決しようとする課題】
【０００５】
しかし、グリスの熱伝導率は低く、放熱性が悪いという問題があった。また、安定した放熱を行うためには、半導体モジュールの反りを矯正して放熱器に固定する必要があり、部材の点数が多くなってしまう。さらに、特許文献１では、半導体モジュールの中央部に貫通穴を設けなければならず、モジュール内部のレイアウトの自由度が下がってしまう。【０００６】
また、特許文献２のように絶縁基板と放熱器を一体化させればグリスが不要であるが、樹脂ケースを放熱器に接着剤で止めているため、大型化してしまう。さらに、ケース内部に軟らかいゲルを使用するため、放熱器を厚くする、材質を高強度なもの（例えばＣｕ）にするなどの対策を行わなければ、モジュールが変形・破壊される。【０００７】
本発明は、上述のような課題を解決するためになされたもので、その目的は放熱性を確保し、モジュール内部のレイアウトの自由度を向上させ、モジュールの変形・破壊を抑制することができる半導体モジュール及び半導体装置を得るものである。
【課題を解決するための手段】
【０００８】
本発明に係る半導体モジュールは、固定面と、前記固定面と反対の面である放熱面とを有する放熱器と、前記放熱面の中央部に設けられたフィンと、前記放熱器の前記固定面上に設けられた絶縁材と、前記絶縁材上に設けられた導電材と、前記導電材上に設けられた半導体チップと、前記半導体チップに接続された金属フレームと、前記フィンを外部に露出させるように、前記放熱器、前記絶縁材、前記導電材、前記半導体チップ、及び前記金属フレームを覆うモールド樹脂とを備え、前記放熱器の外周部と前記モールド樹脂の外周部を貫通する穴が設けられ、前記穴にネジを通して冷却ジャケットに取り付けられることを特徴とする。
【発明の効果】
【０００９】
本発明により、放熱性を確保し、モジュール内部のレイアウトの自由度を向上させ、モジュールの変形・破壊を抑制することができる。
【図面の簡単な説明】
【００１０】
【図１】本発明の実施の形態１に係る半導体モジュールを示す断面図である。
【図２】図１の半導体モジュールの放熱器の放熱面を示す図である。
【図３】本発明の実施の形態１に係る半導体モジュールの上面図である。
【図４】本発明の実施の形態１に係る半導体モジュールの内部図である。
【図５】本発明の実施の形態１に係る半導体モジュールの回路図である。
【図６】図１の半導体モジュールを冷媒の流路である冷却ジャケットに固定した状態を示す断面図である。
【図７】図１の半導体モジュールの金属パターンと放熱器の製造方法を示す断面図である。
【図８】放熱器の厚みに対する導電材の厚みの比率を変化させた時の加熱による放熱器の反り量のシミュレーション解析結果を示す図である。
【図９】モールド樹脂の厚みと発生応力の関係を示す図である。
【図１０】本発明の実施の形態２に係る半導体モジュールを示す断面図である。
【図１１】本発明の実施の形態２に係る半導体モジュールを示す上面図である。
【図１２】本発明の実施の形態３に係る半導体モジュールを示す上面図である。
【図１３】本発明の実施の形態３に係る半導体モジュールを示す内部図である。
【図１４】本発明の実施の形態３に係る半導体モジュールの変形例１を示す上面図である。
【図１５】本発明の実施の形態３に係る半導体モジュールの変形例２を示す上面図である。
【図１６】本発明の実施の形態４に係る半導体モジュールを示す断面図である。
【図１７】本発明の実施の形態５に係る半導体モジュールを示す断面図である。
【図１８】本発明の実施の形態５に係る半導体モジュールを示す上面図である。
【図１９】本発明の実施の形態６に係る半導体モジュールを示す断面図である。
【図２０】本発明の実施の形態６に係る半導体モジュールを示す上面図である。
【図２１】本発明の実施の形態７に係る半導体モジュールを示す断面図である。
【図２２】本発明の実施の形態８に係る半導体モジュールを示す断面図である。
【図２３】本発明の実施の形態８に係る半導体モジュールを示す内部図である。
【図２４】図２２の半導体モジュールの金属パターンと放熱器の製造方法を示す断面図である。
【図２５】本発明の実施の形態９に係る半導体モジュールを示す内部図である。
【図２６】本発明の実施の形態１０に係る半導体装置を示す断面図である。
【図２７】本発明の実施の形態１０に係る半導体装置を示す上面図である。
【発明を実施するための形態】
【００１１】
本発明の実施の形態に係る半導体モジュールについて図面を参照して説明する。同じ又は対応する構成要素には同じ符号を付し、説明の繰り返しを省略する場合がある。
【００１２】
実施の形態１．
図１は、本発明の実施の形態１に係る半導体モジュールを示す断面図である。半導体モジュール１は放熱器２を有する。放熱器２は、大きさは約８０ｍｍ×８０ｍｍ程度、厚みは３ｍｍ程度であり、ＡｌやＣｕからなる。放熱器２は、固定面２ａ（上面）と、固定面２ａと反対の面である放熱面２ｂ（下面）とを有する。フィン３が放熱面２ｂの中央部に設けられている。
【００１３】
絶縁材４が半田などのろう材を介さずに放熱器２の固定面２ａ上に設けられている。絶縁材４は例えばＡｌＮ，Ｓｉ３Ｎ４からなる絶縁基板である。熱抵抗を低減するため、絶縁材４の厚みは最小限の厚みとすることが望ましく、例えば０．６３５ｍｍである。
【００１４】
絶縁基板である絶縁材４上に金属パターンである導電材５が設けられている。導電材５の厚みは放熱器２の厚みの１倍〜１．５倍程度とする。ただし、放熱性向上のため、絶縁材４の厚みは、導電材５と放熱器２の厚みよりも薄くすることが望ましい。
【００１５】
半導体チップ６が導電材５上に設けられ、半導体チップ６の下面電極が半田などの導電性接合材７により導電材５に接合されている。半導体チップ６の上面電極には半田などの導電性接合材８により金属フレーム９が接続されている。
【００１６】
モールド樹脂１０が、フィン３を外部に露出させるように、放熱器２、絶縁材４、導電材５、半導体チップ６、導電性接合材７，８、及び金属フレーム９を覆う。放熱器２の外周部とモールド樹脂１０の外周部を貫通する穴１１が設けられている。本実施の形態ではモールド樹脂１０の上面の高さは一定である。
【００１７】
図２は、図１の半導体モジュールの放熱器の放熱面を示す図である。フィン３が放熱面２ｂの中央部に設けられている。放熱器２の外周部はモールド樹脂１０で封止される封止部となっている。この封止部に穴１１が設けられている。放熱器２とフィン３の材質は同じでも異なっていてもよい。例えば、放熱性を上げるため、フィン３の材質として放熱器２よりも熱伝導率が高いものを使用してもよい。
【００１８】
図３、図４、及び図５は、本発明の実施の形態１に係る半導体モジュールの上面図、内部図、及び回路図である。内部図ではモールド樹脂１０を省略している。半導体モジュールは６ｉｎ１構造、即ち６つのスイッチング素子を１つのモジュールに実装した構造である。
【００１９】
ＩＧＢＴ１２ａ〜１２ｆとフォワードダイオード１３ａ〜１３ｆは図１の半導体チップ６に該当する。金属フレーム９ａ〜ｅがそれぞれＵ電極、Ｖ電極、Ｗ電極、Ｐ電極、Ｎ電極に該当する。
【００２０】
ＩＧＢＴ１２ａ〜１２ｃとフォワードダイオード１３ａ〜１３ｃの下面は導電材５ａに接続されている。ＩＧＢＴ１２ｄ〜１２ｆとフォワードダイオード１３ｄ〜１３ｆの下面は導電材５ｂ〜５ｄに接続されている。金属フレーム９ａ〜ｃがそれぞれＩＧＢＴ１２ａ〜１２ｃとフォワードダイオード１３ａ〜１３ｃの上面にそれぞれ接続され、かつ導電材５ｂ〜５ｄにそれぞれ接続されている。金属フレーム９ｄが導電材５ａに接続されている。金属フレーム９ｅがＩＧＢＴ１２ｄ〜１２ｆとフォワードダイオード１３ｄ〜１３ｆの上面に接続されている。
【００２１】
図６は、図１の半導体モジュールを冷媒の流路である冷却ジャケットに固定した状態を示す断面図である。半導体モジュール１の穴１１にネジ１４を通して冷却ジャケット１５のネジ穴に挿入することで、半導体モジュール１は冷却ジャケット１５に取り付けられる。冷却ジャケット１５の溝１６に、Ｏリングなどの封止材１７が配置されている。
【００２２】
図７は、図１の半導体モジュールの金属パターンと放熱器の製造方法を示す断面図である。導電材５と放熱器２の材質が同じ場合、鋳型１８の中に絶縁材４を保持した状態で、溶融した金属を流し込むことで両者を一体的に製造することができる。このとき、絶縁材４の位置を任意に設定することで、導電材５と放熱器２の厚みの比率を自由に変更できる。なお、導電材５の材料として放熱器２と異なるものを使用してもよい。その場合には、絶縁材４の上面および下面に対して、工程を分けて異なる鋳型を用いて、それぞれの金属を流し込む。
【００２３】
以上説明したように、本実施の形態では半導体チップ６と放熱器２をモールド樹脂１０で封止して固定することで、両者の固定に使用していたネジ、モジュールの反り抑制用の板材、グリスなどの介在物が不要となり、部材点数を削減することができる。
【００２４】
また、半導体チップ６と放熱器２の間にグリスを挟む必要が無いので放熱性を確保することができる。従って、半導体チップ６の通電による発熱を効果的に放熱することができる。
【００２５】
また、取り付け用の穴１１をモジュール外周部に設けているため、モジュール内部のレイアウトの自由度を向上させることができる。半導体モジュール１の中央に穴１１がないことでスイッチング素子を６個以上配置することができるため、モーターを駆動可能な３相用のインバータを１個の半導体モジュールで実現することができる。
【００２６】
また、応力の集中しやすいネジ締結部である穴１１の周辺も含めて放熱器２をモールド樹脂１０で封止しているため、モジュール全体の強度が増し、モジュールの変形・破壊を抑制することができる。
【００２７】
また、放熱器２と絶縁材４が直に接合されているため、両者を導電性接合材で接合する構造よりも放熱性が向上する。さらに、導電性接合材のクラック発生などの恐れがないため、ヒートサイクルやパワーサイクルの寿命が向上する。また、接合材による接合工程も省略できるため、アッセンブリコストを低減することができる。
【００２８】
また、絶縁材４として耐力の高い絶縁基板を用いることにより半導体モジュールの強度が向上する。特に、絶縁基板がセラミック材料からなることが好ましい。セラミック材料は熱伝導性が高いため、半導体モジュールの放熱性が向上する。
【００２９】
なお、絶縁材４として、絶縁基板の代わりに、エポキシ材などのシート状の樹脂を固定面２ａの上に塗工してもよい。シート状の樹脂は柔軟であるため、絶縁材４の脆性破壊が起こりにくくなり、パワーサイクルやヒートサイクルの寿命が向上する。また、絶縁基板よりも絶縁シートの方が薄いため、半導体モジュール全体の厚みも低減できる。絶縁シートの上に導電材５としてＣｕなどのヒートスプレッダを設け、その上に半導体チップ６を実装する。ヒートスプレッダにより、半導体チップ６で発生した熱を効率的に拡散できるため、半導体モジュール全体の温度上昇を抑制することができる。
【００３０】
また、導電材５と半導体チップ６が導電性接合材７により接合される場合には、導電材５の表面のうち半導体チップ６を実装する領域にめっき処理が施されていることが好ましい。めっき処理を施すことで導電材５と半導体チップ６との間の導電性接合材７の濡れ性が向上する。
【００３１】
また、放熱器２と導電材５の材料が同じであることが好ましい。この場合には金属の溶湯法などにより放熱器２と導電材５を同時に形成できるため、製造工程を削減することができる。特に、放熱器２と導電材５の材料がＡｌ又はＡｌ合金であることが好ましい。Ａｌ又はＡｌ合金は軽量であるため、半導体モジュール全体の重量を低減できる。
【００３２】
図８は、放熱器の厚みに対する導電材の厚みの比率を変化させた時の加熱による放熱器の反り量のシミュレーション解析結果を示す図である。２５℃から２５０℃に加熱した。放熱板２、フィン３、及び導電材５は何れもＡｌとした。絶縁材４は０．６３５ｍｍ厚のＡｌＮ板とした。縦軸の反り量は放熱器のフィン側へ凸に沿った場合に正の値を取る。
【００３３】
熱による反りは半田付け工程（２５０℃程度）やモールド封止工程（１８０℃程度）で組立上問題となるため、反り量は２３０ｕｍ以内が好ましい。解析結果から、導電材５の厚みは放熱器２の厚みの１．１５倍以上、１．４５倍以下であれば、放熱器２の熱による反りの絶対値が２３０ｕｍ以内となることが分かった。
【００３４】
さらに、導電材５の厚みを放熱器２の厚みの１．２〜１．４倍にすると、反りが１２０ｕｍ程度以下まで抑制でき、より望ましい。反り量が小さくなる厚み比率が１より大きい理由は、放熱器２が絶縁材４の下面の全面を覆っている（密着している）のに対して、導電材５は絶縁材４の上面の全面を占めておらず、放熱器２と導電材５の熱膨張係数が同じ（同じ材質）であれば、温度変化時に絶縁材４の上下面それぞれに対して同等の応力を生じるには、導電材５の方を厚くする必要があるためである。
【００３５】
また、反り量が小さくなる厚み比率の範囲は、フィン３の形状（高さ、直径）にはほとんど依存しない。６ｉｎ１構造では導電材５の面積は通常、放熱器２の面積の６０〜８０％程度であり、その面積比率の範囲（６０〜８０％）では、厚み比率が１．２〜１．４倍の範囲で反り量の絶対値が小さくなり、約１．３倍で反り量の絶対値が最小となる。
【００３６】
モールド樹脂１０の厚みと材質は、放熱器２の機械的な応力に対する耐力（規定の永久伸びを生じるときの応力）を考慮して設計する必要がある。この設計は特に放熱器２の材質として、軽量化のためにＡｌなどの低耐力の材質を選択した際に重要となる。例えば、放熱器２の厚みを３ｍｍとし、材質を耐力の低いＡｌとした場合、冷却ジャケットへ取り付けて水冷を開始すると、静水圧（０．５〜１．０ＭＰａ）と封止材の反力（１．０〜１０．０Ｎ／ｍｍ）により、ネジ締結部付近に発生する応力は耐力を超え、塑性変形を引き起こす。応力が耐力を超えたままでは、変形が進行して、水漏れなどが懸念される。そこで、モールド樹脂１０の厚みを増加させることで、放熱器２の変形を抑え込み、放熱器２のネジ締結部周辺に集中する応力を低減することができる。図９は、モールド樹脂の厚みと発生応力の関係を示す図である。モールド樹脂１０が厚いほど発生応力が低減できることが分かる。
【００３７】
実施の形態２．
図１０及び図１１は、本発明の実施の形態２に係る半導体モジュールを示す断面図及び上面図である。半導体モジュール１を冷却ジャケット１５に取り付けて使用した場合に発生する応力は穴１１付近で高くなる。そこで、本実施の形態ではモールド樹脂１０の外周部に上側に突出した突出部１０ａを設けて、穴１１付近におけるモールド樹脂１０の上面の高さをモジュール中央部におけるモールド樹脂１０の上面の高さより高くする。機械的な応力の集中しやすい穴１１付近のモールド樹脂１０を厚くすることでモジュールの強度を向上することができる。また、モールド樹脂１０の一部を厚くするので、モールド樹脂１０の全体を厚くするよりもモールド樹脂１０の量を削減することができる。
【００３８】
実施の形態３．
図１２及び図１３は、本発明の実施の形態３に係る半導体モジュールを示す上面図及び内部図である。放熱器２は外側に突出した突出部１９を有する。穴１１は突出部１９に設けられている。その放熱器２と同形状でモールド樹脂１０を形成する。これにより、放熱器２とモールド樹脂１０の材料使用量を削減することができる。また、突出部１９間に金属フレーム９ｄ，９ｅを配置することで、半導体モジュールの床面積を低減することもできる。
【００３９】
図１４は、本発明の実施の形態３に係る半導体モジュールの変形例１を示す上面図である。モールド樹脂１０の平面形状は四角とし、さらに金属フレーム９ｄ，９ｅの間に切り欠き部１０ｂを設けている。これにより、モールド樹脂１０で沿面距離を得ることで金属フレーム間の距離を縮小することができる。図１５は、本発明の実施の形態３に係る半導体モジュールの変形例２を示す上面図である。変形例２は実施の形態２，３を組み合わせたものであり、両者の効果を得ることができる。
【００４０】
実施の形態４．
図１６は、本発明の実施の形態４に係る半導体モジュールを示す断面図である。放熱器２の固定面２ａに、裏面をメタライズした絶縁材４が接合材２０を介して接合されている。接合材２０は例えば導電性接合材である半田である。半田などの熱伝導性のよい材料を接合材２０に用いることで、半導体モジュール１の放熱性は実施の形態１の半導体モジュールに若干劣るものの、グリスを用いた従来技術より格段に高い放熱性を安定して得ることができる。
【００４１】
放熱器２と絶縁材４を別々に作成した後にこれらを接合することができるため、半導体モジュールの小型化が可能である。また、一旦放熱器２を絶縁材４に接合した後に、放熱器２、又は絶縁材４の上の半導体チップ６を交換する場合にも、放熱器２を容易に取り外しして交換ができる。
【００４２】
なお、絶縁材４の上面にメタライズすることで、絶縁材４の上面と導電材５を半田などの接合材で接合することもできる。この場合にも、絶縁材４と導電材５を別々に作成した後にこれらを接合することができる。
【００４３】
実施の形態５．
図１７及び図１８は、本発明の実施の形態５に係る半導体モジュールを示す断面図及び上面図である。放熱器２より耐力の高い材質（Ｆｅなど）からなるカラー２１がモールド樹脂１０の穴１１に挿入されている。ネジ１４の締め付けによる反力を耐力の高いカラー２１で受けるため、穴１１周辺の放熱器２とモールド樹脂１０の変形を抑制することができる。
【００４４】
また、カラー２１を放熱器２の下面まで貫通させれば、放熱器２の変形も抑制でき、更に軸力を保持することができる。また、カラー２１の外側面に少なくとも１つの凹凸が設けられていることが好ましい（例えばローレット加工）。これにより、モールド樹脂１０とカラー２１の密着性が向上し、両者の剥離を抑制することができる。
【００４５】
実施の形態６．
図１９及び図２０は、本発明の実施の形態６に係る半導体モジュールを示す断面図及び上面図である。放熱器２より耐力の高い材質（Ｆｅなど）からなる板材２２が放熱器２の穴１１の周辺に設けられている。これにより、ネジ１４の締付に対する穴１１周辺の放熱器２の変形を抑制することができる。従って、モジュール全体の反りが抑制され、冷却ジャケット１５との封止性を確保することができる。
【００４６】
また、板材２２の表面にローレット加工を設けてもよい。これにより、放熱器２との接着性を確保できる。さらに、板材２２の材質を放熱器２へ拡散するような材質を選択することで放熱器２と板材２２が界面で合金化されていることが好ましい。これにより放熱器２の熱伝導性や耐力などの特性を一局所的に部変化させることができる。例えば、放熱器２の材質がＡｌならば板材２２の材質をＦｅにする。
【００４７】
実施の形態７．
図２１は、本発明の実施の形態７に係る半導体モジュールを示す断面図である。放熱器２の放熱面２ｂに段差２３が設けられ、中央部が突出している。これにより、冷媒がフィン３の根元に当たりやすくなり放熱性能が向上する。さらに、放熱器２の厚みが段差２３の高さ分だけ増加するため、モジュールの強度も向上する。
【００４８】
実施の形態８．
図２２及び図２３は、本発明の実施の形態８に係る半導体モジュールを示す断面図及び内部図である。放熱器２の固定面２ａの外周部にガイド２４が設けられている。このガイド２４が絶縁材４の端部を固定する。これにより、絶縁材４に骨材としての機能を持たせることができるため、放熱器２の強度を向上させることができる。
【００４９】
図２４は、図２２の半導体モジュールの金属パターンと放熱器の製造方法を示す断面図である。鋳型１８の中に絶縁材４を保持した状態で、溶融した金属を流し込むことで放熱器２と導電材５とガイド２４を同時に製造することができる。
【００５０】
実施の形態９．
図２５は、本発明の実施の形態９に係る半導体モジュールを示す内部図である。導電材５の平面形状は櫛の歯状である。これにより、絶縁材４の上面のうち導電材５が無い非パターン部が蛇行するため、非パターン部が直線のモジュールと比較して曲げに対する強度が高くなる。
【００５１】
実施の形態１０．
図２６及び図２７は、本発明の実施の形態１０に係る半導体装置を示す断面図及び上面図である。半導体モジュール１を外付けの板材２５で押さえつけて冷却ジャケット１５に固定する。板材２５は半導体モジュール１と接触しており、ネジ１４により冷却ジャケット１５へ取り付けられている。板材２５の材質は、耐力が高く透磁率の低いもの（例えばＣｕ）がよい。
【００５２】
耐力の高い板材２５で押さえつけることで半導体モジュール１の反りを抑制することができ、冷却ジャケット１５との封止性を保つことができる。また、ネジ１４の締結部に耐力の高い材質を使用できるため、半導体モジュール１の変形を抑制することができる。また、透磁率の低い材質を使用することで、半導体チップ６に電流が流れたときに発生する磁場が外部へ拡散するのを防ぐことができる。これにより、板材２５の上に制御基板などを置いても、磁場の影響を受けずに、正常な動作を得ることができる。
【符号の説明】
【００５３】
１  半導体モジュール、２  放熱器、２ａ  固定面、２ｂ  放熱面、３  フィン、４  絶縁材、５  導電材、６  半導体チップ、９  金属フレーム、１０  モールド樹脂、１１  穴、１４  ネジ、１５  冷却ジャケット、１９  突出部、２１  カラー、２２  板材、２４  ガイド、２５  板材
【図１】
2014181426.tif 000003
【図２】
2014181426.tif 000004
【図３】
2014181426.tif 000005
【図４】
2014181426.tif 000006
【図５】
2014181426.tif 000007
【図６】
2014181426.tif 000008
【図７】
2014181426.tif 000009
【図８】
2014181426.tif 000010
【図９】
2014181426.tif 000011
【図１０】
2014181426.tif 000012
【図１１】
2014181426.tif 000013
【図１２】
2014181426.tif 000014
【図１３】
2014181426.tif 000015
【図１４】
2014181426.tif 000016
【図１５】
2014181426.tif 000017
【図１６】
2014181426.tif 000018
【図１７】
2014181426.tif 000019
【図１８】
2014181426.tif 000020
【図１９】
2014181426.tif 000021
【図２０】
2014181426.tif 000022
【図２１】
2014181426.tif 000023
【図２２】
2014181426.tif 000024
【図２３】
2014181426.tif 000025
【図２４】
2014181426.tif 000026
【図２５】
2014181426.tif 000027
【図２６】
2014181426.tif 000028
【図２７】
2014181426.tif 000029
【手続補正書】
【提出日】平成28年6月23日(2016.6.23)
【手続補正１】
【補正対象書類名】特許請求の範囲
【補正対象項目名】全文
【補正方法】変更
【補正の内容】
【特許請求の範囲】
【請求項１】
固定面と、前記固定面と反対の面である放熱面とを有する放熱器と、
前記放熱面の中央部に設けられたフィンと、
前記放熱器の前記固定面上に設けられた絶縁材と、
前記絶縁材上に設けられた導電材と、
前記導電材上に設けられた半導体チップと、
前記半導体チップに接続された金属フレームと、
前記フィンを外部に露出させるように、前記放熱器、前記絶縁材、前記導電材、前記半導体チップ、及び前記金属フレームを覆うモールド樹脂とを備え、
前記放熱器の外周部と前記モールド樹脂の外周部を貫通する穴が設けられ、
前記穴にネジを通して冷却ジャケットに取り付けられることを特徴とする半導体モジュール。
【請求項２】
前記穴付近における前記モールド樹脂の上面の高さをモジュール中央部における前記モールド樹脂の上面の高さより高くすることを特徴とする請求項１に記載の半導体モジュール。
【請求項３】
前記放熱器は外側に突出した突出部を有し、
前記穴は前記突出部に設けられていることを特徴とする請求項１又は２に記載の半導体モジュール。
【請求項４】
前記モールド樹脂の平面形状は四角であることを特徴とする請求項３に記載の半導体モジュール。
【請求項５】
前記モールド樹脂の前記穴に挿入され、前記放熱器より耐力の高い材質からなるカラーを更に備えることを特徴とする請求項１に記載の半導体モジュール。
【請求項６】
前記カラーの外側面に凹凸が設けられていることを特徴とする請求項５に記載の半導体モジュール。
【請求項７】
前記放熱器の前記穴の周辺に設けられ、前記放熱器より耐力の高い材質からなる板材を更に備えることを特徴とする請求項１に記載の半導体モジュール。
【請求項８】
前記放熱器と前記板材が界面で合金化されていることを特徴とする請求項７に記載の半導体モジュール。
【請求項９】
前記放熱面に段差が設けられていることを特徴とする請求項１に記載の半導体モジュール。
【請求項１０】
前記放熱器は、前記固定面の外周部に設けられたガイドを有し、
前記ガイドが前記絶縁材の端部を包み込んで固定することを特徴とする請求項１に記載の半導体モジュール。
【請求項１１】
前記導電材の平面形状は櫛の歯状であることを特徴とする請求項１〜１０の何れか１項に記載の半導体モジュール。
【請求項１２】
前記絶縁材は絶縁基板であることを特徴とする請求項１〜１１の何れか１項に記載の半導体モジュール。
【請求項１３】
前記絶縁基板はセラミック材料からなることを特徴とする請求項１２に記載の半導体モジュール。
【請求項１４】
前記絶縁材はシート状の樹脂であることを特徴とする請求項１〜１１の何れか１項に記載の半導体モジュール。
【請求項１５】
前記導電材の表面のうち前記半導体チップを実装する領域にめっき処理が施され、
前記導電材と前記半導体チップが導電性接合材により接合されていることを特徴とする請求項１〜１４の何れか１項に記載の半導体モジュール。
【請求項１６】
前記放熱器と前記導電材の材料が同じであることを特徴とする請求項１〜１５の何れか１項に記載の半導体モジュール。
【請求項１７】
前記放熱器と前記導電材の材料がＡｌ又はＡｌ合金であることを特徴とする請求項１６に記載の半導体モジュール。
【請求項１８】
前記導電材の厚みは前記放熱器の厚みの１．１５倍以上、１．４５倍以下であることを特徴とする請求項１〜１７の何れか１項に記載の半導体モジュール。
【請求項１９】
前記半導体チップは、インバータを構成する複数のスイッチング素子を有することを特徴とする請求項１〜１８の何れか１項に記載の半導体モジュール。
【手続補正書】
【提出日】平成28年9月21日(2016.9.21)
【手続補正１】
【補正対象書類名】特許請求の範囲
【補正対象項目名】全文
【補正方法】変更
【補正の内容】
【特許請求の範囲】
【請求項１】
固定面と、前記固定面と反対の面である放熱面とを有する放熱器と、
前記放熱面の中央部に設けられたフィンと、
前記放熱器の前記固定面上に設けられた絶縁材と、
前記絶縁材上に設けられた導電材と、
前記導電材上に設けられた半導体チップと、
前記半導体チップに接続された金属フレームと、
前記フィンを外部に露出させるように、前記放熱器、前記絶縁材、前記導電材、前記半導体チップ、及び前記金属フレームを覆うモールド樹脂とを備え、
前記放熱器の外周部と前記モールド樹脂の外周部を貫通する穴が設けられ、
前記穴にネジを通して冷却ジャケットに取り付けられ、
前記放熱器の前記穴の周辺に設けられ、前記放熱器より耐力の高い材質からなる板材を更に備えることを特徴とする半導体モジュール。
【請求項２】
前記放熱器と前記板材が界面で合金化されていることを特徴とする請求項１に記載の半導体モジュール。
【請求項３】
固定面と、前記固定面と反対の面である放熱面とを有する放熱器と、
前記放熱面の中央部に設けられたフィンと、
前記放熱器の前記固定面上に設けられた絶縁材と、
前記絶縁材上に設けられた導電材と、
前記導電材上に設けられた半導体チップと、
前記半導体チップに接続された金属フレームと、
前記フィンを外部に露出させるように、前記放熱器、前記絶縁材、前記導電材、前記半導体チップ、及び前記金属フレームを覆うモールド樹脂とを備え、
前記放熱器の外周部と前記モールド樹脂の外周部を貫通する穴が設けられ、
前記穴にネジを通して冷却ジャケットに取り付けられ、
前記放熱器は、前記固定面の外周部に設けられたガイドを有し、
前記ガイドが前記絶縁材の端部を包み込んで固定することを特徴とする半導体モジュール。
【請求項４】
前記導電材の平面形状は櫛の歯状であることを特徴とする請求項１〜３の何れか１項に記載の半導体モジュール。
【請求項５】
前記絶縁材は絶縁基板であることを特徴とする請求項１〜４の何れか１項に記載の半導体モジュール。
【請求項６】
前記絶縁基板はセラミック材料からなることを特徴とする請求項５に記載の半導体モジュール。
【請求項７】
前記絶縁材はシート状の樹脂であることを特徴とする請求項１〜４の何れか１項に記載の半導体モジュール。
【請求項８】
前記導電材の表面のうち前記半導体チップを実装する領域にめっき処理が施され、
前記導電材と前記半導体チップが導電性接合材により接合されていることを特徴とする請求項１〜７の何れか１項に記載の半導体モジュール。
【請求項９】
前記放熱器と前記導電材の材料が同じであることを特徴とする請求項１〜８の何れか１項に記載の半導体モジュール。
【請求項１０】
前記放熱器と前記導電材の材料がＡｌ又はＡｌ合金であることを特徴とする請求項９に記載の半導体モジュール。
【請求項１１】
前記導電材の厚みは前記放熱器の厚みの１．１５倍以上、１．４５倍以下であることを特徴とする請求項１〜１０の何れか１項に記載の半導体モジュール。
【請求項１２】
前記半導体チップは、インバータを構成する複数のスイッチング素子を有することを特徴とする請求項１〜１１の何れか１項に記載の半導体モジュール。
【手続補正３】
【補正対象書類名】明細書
【補正対象項目名】０００８
【補正方法】変更
【補正の内容】
【０００８】
本発明に係る半導体モジュールは、固定面と、前記固定面と反対の面である放熱面とを有する放熱器と、前記放熱面の中央部に設けられたフィンと、前記放熱器の前記固定面上に設けられた絶縁材と、前記絶縁材上に設けられた導電材と、前記導電材上に設けられた半導体チップと、前記半導体チップに接続された金属フレームと、前記フィンを外部に露出させるように、前記放熱器、前記絶縁材、前記導電材、前記半導体チップ、及び前記金属フレームを覆うモールド樹脂とを備え、前記放熱器の外周部と前記モールド樹脂の外周部を貫通する穴が設けられ、前記穴にネジを通して冷却ジャケットに取り付けられ、前記放熱器の前記穴の周辺に設けられ、前記放熱器より耐力の高い材質からなる板材を更に備えることを特徴とする。
【国際調査報告】
2014181426.tif 000030
2014181426.tif 000031
2014181426.tif 000032
2014181426.tif 000033